(57)【要約】【課題】塗装ロボットのアーム先端部に保持させた被塗物を塗装ロボットの動作により噴霧手段に対し変位させながら、その被塗物を噴霧手段からの塗料噴霧により塗装する塗装設備において、塗装ロボット及び塗装域壁面に対する塗料付着を防止する。【解決手段】ロボット設置域５を隣接塗装域２より高圧にして、ロボット設置域５から塗装域２に流入する空気流ｒａを形成する。【選択図】  図１
2015223533.tif 000002
【特許請求の範囲】
【請求項１】
塗料を下向きに噴霧する噴霧手段を塗装域の上部に配置し、
塗装ロボットを設置するロボット設置域を前記塗装域の横側に隣接させ、
この塗装ロボットのアーム先端部に保持させた被塗物を前記塗装ロボットの動作により前記噴霧手段の下方で前記噴霧手段に対して変位させながら、その被塗物を前記噴霧手段からの塗料噴霧により塗装する塗装設備であって、
前記ロボット設置域に換気用空気を供給するロボット設置域用の給気口を設け、
この給気口からの空気供給により前記ロボット設置域を、隣接する前記塗装域より高圧にして、前記ロボット設置域から前記塗装域に流入する空気流を形成する構成にしてある塗装設備。
【請求項２】
換気用空気を前記塗装域の上部に供給する塗装域用の給気手段、及び、隣接する前記ロボット設置域とは反対側に位置する塗装域側壁に沿う状態で下向きに流れるエアカーテンを形成するエアカーテン用の給気口を、前記塗装域の上部に配備し、
前記塗装域の下方には、前記塗装域の域内空気を下向きに排出させる排気域を形成してある請求項１記載の塗装設備。
【請求項３】
前記塗装域用の給気手段として、内部に供給した換気用空気を周部から吹き出すソックフィルタを横向き姿勢で前記塗装域の上部に配置してある請求項２記載の塗装設備。
【請求項４】
前記エアカーテン用の給気口を下面部に形成したエアカーテン用の吹出ボックスを前記塗装室側壁に近接させて前記塗装域の上部に配置し、
前記ソックフィルタの先端部を前記エアカーテン用の吹出ボックスに接続してその吹出ボックスの内部に開口させてある請求項３記載の塗装設備。
【請求項５】
前記エアカーテン用吹出ボックスに対する前記ソックフィルタの接続部に、前記ソックフィルタの先端部から前記エアカーテン用吹出ボックスの内部に流入する空気量を制限する絞り機構を介装してある請求項４記載の塗装設備。
【請求項６】
前記エアカーテン用給気口と前記噴霧手段とは、平面視において前記塗装域と前記ロボット設置域との並び方向に同芯状に並べて配置し、
前記エアカーテン用給気口の塗装域幅方向における寸法は、前記塗装室側壁の塗装域幅方向における寸法よりも小さくしてある請求項２記載の塗装設備。
【請求項７】
前記エアカーテン用給気口に換気用空気を送給する渡りダクトを前記塗装域の上部に配置し、
前記塗装域用の給気手段として前記渡りダクトの下壁を多孔構造にし、この多孔構造を通じて前記渡りダクト内の換気用空気の一部を前記塗装域の上部に吹き出し供給する構成にしてある請求項２記載の塗装設備。
【請求項８】
前記ロボット設置室とは反対側に位置する前記塗装域側壁の両縦隅部の夫々に平面視断面形状が略三角形状の塗料タンク設置室を配置し、
前記エアカーテン用給気口の平面視形状を、前記塗装域側壁と前記塗料タンク設置室の室壁とにより囲まれる台形状にしてある請求項２記載の塗装設備。
【請求項９】
前記塗装ロボットを予め設定された動作プログラムにしたがって自動動作させる制御手段を設け、
この制御手段は、被塗物における各時点の塗装対象面を前記噴霧手段からの塗料噴霧方向に対して略垂直な姿勢に保つ状態に被塗物を姿勢変化させながら、被塗物を前記噴霧手段に対して変位させる構成にしてある請求項１記載の塗装設備。
【請求項１０】
複数の前記塗装域を一列に並べて配置するとともに、それら塗装域に対応させて複数の前記ロボット設置域を塗装域並び方向に一列に並べて配置し、
前記制御手段は、隣り合う前記ロボット設置域の夫々に設置された前記塗装ロボットどうしの受け渡しにより被塗物を複数の前記塗装域に対して順次に送る構成にしてある請求項９記載の塗装設備。
【請求項１１】
複数の前記塗装域を一列に並べて配置するとともに、それら塗装域に対応させて複数の前記ロボット設置域を塗装域並び方向に一列に並べて配置し、
隣り合う前記塗装域どうしは、塗装域並び方向において隔壁又は垂れ壁又はエアカーテンにより仕切り、
これに対し、隣り合う前記ロボット設置域どうしは、塗装域並び方向において互いに開放させてある、又は、塗装域並び方向においてエアカーテンにより仕切ってある請求項１記載の塗装設備。
【請求項１２】
前記ロボット設置域とは反対側に位置する前記塗装室側壁に沿う状態で下向きに流れる前記エアカーテンの厚み方向中間部に位置して、上端が下端に対して相対的に前記塗装域側壁の側に寄った傾斜姿勢の気流案内面を設けてある請求項２記載の塗装設備。
【請求項１３】
前記噴霧手段を、昇降操作が自在な状態で前記塗装域に設置してある請求項１記載の塗装設備。
【発明の詳細な説明】
【技術分野】
【０００１】
本発明は塗装設備に関し、詳しくは、塗料を下向きに噴霧する噴霧手段を塗装域の上部に配置し、塗装ロボットを設置するロボット設置域を前記塗装域の横側に隣接させ、この塗装ロボットのアーム先端部に保持させた被塗物を前記塗装ロボットの動作により前記噴霧手段の下方で前記噴霧手段に対して変位させながら、その被塗物を前記噴霧手段からの塗料噴霧により塗装する塗装設備に関する。
【背景技術】
【０００２】
従来、この種の塗装設備に関して下記の特許文献１では、塗装域の上部に配置した噴霧手段から下向きに塗料噴霧させるのに対して、その噴霧手段のさらに上方から塗装域に対し下向きに換気用空気を吹き出すようにし、これにより、噴霧手段からの塗料の噴霧向きと塗装域における換気用空気の気流向きとを一致させることが提案されている。
【０００３】
即ち、この特許文献１に示される塗装設備では、噴霧手段からの塗料の噴霧向きと塗装域における換気用空気の気流向きとを一致させることで、噴霧手段から塗料を下向きにのみ噴霧することと相俟って、噴霧塗料の飛散範囲を小さくするようにしている。
【先行技術文献】
【特許文献】
【０００４】
【特許文献１】特開２００５−１０３４４６号公報
【発明の概要】
【発明が解決しようとする課題】
【０００５】
しかし、特許文献１に示される塗装設備では、噴霧塗料の飛散範囲は小さくし得るものの、被塗物を塗装ロボットのアーム先端部に保持させて、その塗装ロボットの動作により被塗物の方を噴霧手段に対し変位させながら塗装するため、これとは逆に被塗物を実質的に固定した状態で噴霧手段の方を変位させながら塗装を行う方式に比べ、アームを含めた塗装ロボットに対する余剰噴霧塗料の付着量がかえって多くなる問題があった。
【０００６】
この実情に鑑み、本発明の主たる課題は、被塗物の方を噴霧手段に対して変位させる方式を採りながら、被塗物を保持する塗装ロボットに対する余剰噴霧塗料の付着を効果的に防止する点にある。
【課題を解決するための手段】
【０００７】
本発明の第１特徴構成は塗装設備に係り、その特徴は、
塗料を下向きに噴霧する噴霧手段を塗装域の上部に配置し、
塗装ロボットを設置するロボット設置域を前記塗装域の横側に隣接させ、
この塗装ロボットのアーム先端部に保持させた被塗物を前記塗装ロボットの動作により前記噴霧手段の下方で前記噴霧手段に対して変位させながら、その被塗物を前記噴霧手段からの塗料噴霧により塗装する塗装設備であって、
前記ロボット設置域に換気用空気を供給するロボット設置域用の給気口を設け、
この給気口からの空気供給により前記ロボット設置域を、隣接する前記塗装域より高圧にして、前記ロボット設置域から前記塗装域に流入する空気流を形成する構成にしてある点にある。
【０００８】
この構成であれば、隣接するロボット設置域から塗装域に上記空気流が流入することで、ロボット設置域に位置する塗装ロボット本体に対する余剰噴霧塗料の付着はもとより、ロボット設置域から噴霧手段の下方まで延出する塗装ロボットのアームに対する余剰噴霧塗料の付着も、この空気流により効果的に防止することができる。
【０００９】
本発明の第２特徴構成は、第１特徴構成の実施に好適な実施形態を特定するものであり、その特徴は、
換気用空気を前記塗装域の上部に供給する塗装域用の給気手段、及び、隣接する前記ロボット設置域とは反対側に位置する塗装域側壁に沿う状態で下向きに流れるエアカーテンを形成するエアカーテン用の給気口を、前記塗装域の上部に配備し、
前記塗装域の下方には、前記塗装域の域内空気を下向きに排出させる排気域を形成してある点にある。
【００１０】
この構成では、隣接するロボット設置域から塗装域に流入した空気流は、塗装域用給気手段により塗装域の上部に供給される換気用空気、及び、隣接するロボット設置域とは反対側に位置する塗装域側壁に沿う状態で下向きに流れるエアカーテン流とともに、塗装域から排気域へ下向きに排出される。
【００１１】
そして、塗装域では、塗装域用給気手段により塗装域の上部に供給された換気用空気が下向きに流れることで、噴霧手段による余剰噴霧塗料が速やかに塗装域から下向きに排出される。
【００１２】
また、ロボット設置域とは反対側に位置する塗装域側壁では、ロボット設置域から塗装域に流入する空気流の影響を受けて余剰噴霧塗料が側壁に近付くとしても、その側壁に沿って流下するエアカーテンにより側壁に対する余剰噴霧塗料の付着も効果的に防止することできる。
【００１３】
したがって、この構成であれば、上記した塗装ロボットに対する塗料付着の防止とともに、ロボット設置域とは反対側に位置する塗装域側壁に対する余剰噴霧塗料の付着も効果的に防止することができ、これにより、被塗物の方を噴霧手段に対して変位させることによる塗料飛散範囲の縮小とも相俟って、塗装域を一層小型化することができる。
【００１４】
本発明の第３特徴構成は、第２特徴構成の実施に好適な実施形態を特定するものであり、その特徴は、
前記塗装域用の給気手段として、内部に供給した換気用空気を周部から吹き出すソックフィルタを横向き姿勢で前記塗装域の上部に配置してある点にある。
【００１５】
この構成であれば、ソックフィルタ（濾布を筒状に形成したフィルタ）を横向き姿勢で塗装域の上部に配置するだけであるから、例えば、塗装域用の給気手段として、塗装域用の給気チャンバ及びその給気チャンバに対する供給空気を塗装域に吹き出す天井フィルタを平面視で塗装域の全域にわたって配設するなどに比べ、塗装域上部の構成を簡素にすることができ、また、塗装域の高さ寸法も確保し易くすることができる。
【００１６】
本発明の第４特徴構成は、第３特徴構成の実施に好適な実施形態を特定するものであり、その特徴は、
前記エアカーテン用の給気口を下面部に形成したエアカーテン用の吹出ボックスを前記塗装室側壁に近接させて前記塗装域の上部に配置し、
前記ソックフィルタの先端部を前記エアカーテン用の吹出ボックスに接続してその吹出ボックスの内部に開口させてある点にある。
【００１７】
この構成であれば、塗装域の上部に換気用空気を供給する塗装域用給気手段としてのソックフィルタをエアカーテン用吹出ボックスに対する空気供給ダクトとしても利用することから、エアカーテン用吹出ボックスに対する空気供給ダクトをソックフィルタとは別に施設するのに比べ、設備構成を一層簡素にすることができ、また、塗装域の高さ寸法も一層確保し易くすることができる。
【００１８】
本発明の第５特徴構成は、第４特徴構成の実施に好適な実施形態を特定するものであり、その特徴は、
前記エアカーテン用吹出ボックスに対する前記ソックフィルタの接続部に、前記ソックフィルタの先端部から前記エアカーテン用吹出ボックスの内部に流入する空気量を制限する絞り機構を介装してある点にある。
【００１９】
この構成であれば、塗装域用給気手段としてのソックフィルタをエアカーテン用吹出ボックスに対する空気供給ダクトとして利用する形態を採りながらも、上記絞り機構（例えば、絞り開口や風量調整ダンパ）の開度を調整することで、ソックフィルタの周部から塗装域の上部に供給する換気用空気と、そのソックフィルタの先端部からエアカーテン用吹出ボックスの内部に流入させる空気（即ち、エアカーテンを形成する空気）との風量比を所要の風量比に確実に調整することができる。
【００２０】
本発明の第６特徴構成は、第２特徴構成の実施に好適な実施形態を特定するものであり、その特徴は、
前記エアカーテン用給気口と前記噴霧手段とは、前記塗装域の平面視において前記塗装域と前記ロボット設置域との並び方向に同芯状に並べて配置し、
前記エアカーテン用給気口の塗装域幅方向における寸法は、前記塗装室側壁の塗装域幅方向における寸法よりも小さくしてある点にある。
【００２１】
この構成であれば、被塗物の方を噴霧手段に対して変位させることによる塗料飛散の縮小、及び、ロボット設置域から塗装域への空気流入の影響で、塗装ロボット設置域とは反対側位置する塗装域側壁のうち、噴霧手段からの余剰噴霧塗料が付着する虞のある部分が限定されることに対し、この塗料付着を上記エアカーテン用給気口により形成するエアカーテンで確実に防止することができる。
【００２２】
そして、塗装域側壁に対する塗料付着を確実に防止しながらも、例えばエアカーテン用給気口を塗装域側壁の全幅にわたらせて設けるのに比べ、エアカーテン用給気口を小さくして、そのエアカーテン用給気口からの空気吹出風量を少量にすることができ、その分、設備コスト及び設備の運転コストを安価にすることができる。
【００２３】
本発明の第７特徴構成は、第２特徴構成の実施に好適な実施形態を特定するものであり、その特徴は、
前記エアカーテン用給気口に換気用空気を送給する渡りダクトを前記塗装域の上部に配置し、
前記塗装域用の給気手段として前記渡りダクトの下壁を多孔構造にし、この多孔構造を通じて前記渡りダクト内の換気用空気の一部を前記塗装域の上部に吹き出し供給する構成にしてある点にある。
【００２４】
この構成であれば、エアカーテン用給気口に換気用空気を送給する渡りダクトを利用して、その渡りダクトの下壁部に形成した多孔構造から渡りダクト内の換気用空気の一部を塗装域の上部に吹き出し供給するから、塗装域の上部に換気用空気を供給する塗装域用給気手段を上記渡りダクトとは別に施設するのに比べ、塗装域上部の構成を簡素にすることができ、また、塗装域の高さ寸法も確保し易くすることができる。
【００２５】
本発明の第８特徴構成は、第２特徴構成の実施に好適な実施形態を特定するものであり、その特徴は、
前記ロボット設置室とは反対側に位置する前記塗装域側壁の両縦隅部の夫々に平面視断面形状が略三角形状の塗料タンク設置室を配置し、
前記エアカーテン用給気口の平面視形状を、前記塗装域側壁と前記塗料タンク設置室の室壁とにより囲まれる台形状にしてある点にある。
【００２６】
この構成であれば、塗装域における塗装域側壁の両縦隅部を利用して塗料タンク設置室を配備するから、塗料タンク設置室を塗装域とは別に配設するのに比べ、設備構成をコンパクトにすることができる。
【００２７】
また、エアカーテン用給気口の平面視形状（即ち、エアカーテンの横断面形状）を塗装域側壁と塗料タンク設置室の室壁とにより囲まれる台形状にすることで、塗装域側壁に対する余剰噴霧塗料の付着を確実にするとともに、塗料タンク設置室の室壁に対する余剰噴霧塗料の付着も確実に防止することができる。
【００２８】
本発明の第９特徴構成は、第１特徴構成の実施に好適な実施形態を特定するものであり、その特徴は、
前記塗装ロボットを予め設定された動作プログラムにしたがって自動動作させる制御手段を設け、
この制御手段は、被塗物における各時点の塗装対象面を前記噴霧手段からの塗料噴霧方向に対して略垂直な姿勢に保つ状態に被塗物を姿勢変化させながら、被塗物を前記噴霧手段に対して変位させる構成にしてある点にある。
【００２９】
この構成であれば、被塗物における各時点の塗装対象面（塗料噴霧を受ける面）が噴霧手段からの塗料噴霧方向に対して略垂直な姿勢に保たれることで、被塗物に対する噴霧塗料の塗着効率を高めるとともに塗装品質も向上することができる。
【００３０】
また、被塗物に対する塗着効率を向上し得ることで、余剰噴霧塗料の飛散も一層効果的に抑止することができて、塗装ロボットや塗装域側壁に対する余剰噴霧塗料の付着も一層効果的に防止することができる。
【００３１】
本発明の第１０特徴構成は、第９特徴構成の実施に好適な実施形態を特定するものであり、その特徴は、
複数の前記塗装域を一列に並べて配置するとともに、それら塗装域に対応させて複数の前記ロボット設置域を塗装域並び方向に一列に並べて配置し、
前記制御手段は、隣り合う前記ロボット設置域の夫々に設置された前記塗装ロボットどうしの受け渡しにより被塗物を複数の前記塗装域に対して順次に送る構成にしてある点にある。
【００３２】
この構成であれば、塗装ロボットを利用して、塗装ロボットどうしの受け渡しにより被塗物を複数の塗装域に対して順次に送るから、塗装ロボットとは別に、被塗物搬送用コンベヤや被塗物搬送用ロボットなどの被塗物搬送専用手段を設けるのに比べ、設備構成を簡素にすることができる。
【００３３】
なお、この構成の実施において、塗装ロボットどうしによる被塗物の受け渡しには、先行塗装ロボットが先行塗装後の被塗物を受渡部に保持させ、その後、後行塗装ロボットが受渡部に保持された被塗物を後行塗装に先立ち受け取る形態、あるいは、先行塗装ロボットが後行塗装ロボットに対して先行塗装後の被塗物を直接に手渡す形態のいずれを採用してもよい。
【００３４】
本発明の第１１特徴構成は、第１特徴構成の実施に好適な実施形態を特定するものであり、その特徴は、
複数の前記塗装域を一列に並べて配置するとともに、それら塗装域に対応させて複数の前記ロボット設置域を塗装域並び方向に一列に並べて配置し、
隣り合う前記塗装域どうしは、塗装域並び方向において隔壁又は垂れ壁又はエアカーテンにより仕切り、
これに対し、隣り合う前記ロボット設置域どうしは、塗装域並び方向において互いに開放させてある、又は、塗装域並び方向においてエアカーテンにより仕切ってある点にある。
【００３５】
この構成であれば、隣り合う塗装域は塗装域並び方向において隔壁や垂れ壁又はエアカーテンにより仕切るから、隣り合う塗装域間での余剰噴霧塗料の移動による所謂色被りを効果的に防止することができる。
【００３６】
また、隣り合うロボット設置域は塗装域並び方向において互いに開放させる、又は、仕切るにしてもエアカーテンにより仕切るから、隣り合う塗装域間での被塗物の移動はロボット設置域の側で容易に行うことができる。
【００３７】
本発明の第１２特徴構成は、第２特徴構成の実施に好適な実施形態を特定するものであり、その特徴は、
前記ロボット設置域とは反対側に位置する前記塗装室側壁に沿う状態で下向きに流れる前記エアカーテンの厚み方向中間部に位置して、上端が下端に対して相対的に前記塗装域側壁の側に寄った傾斜姿勢の気流案内面を設けてある点にある。
【００３８】
この構成であれば、ロボット設置域とは反対側の塗装域側壁に沿って下向きに流れるエアカーテン気流を、上記気流案内面による案内により、塗装域側壁に近い側の低速の気流部分と、塗装室側壁に対して離れた側の高速の気流部分とに分けることができる。
【００３９】
そして、塗装室側壁に対して離れた側の高速気流部分による誘因により、塗装域側壁に近い側の低速気流部分から塗装室側壁に対して離れた側の高速気流部分に向かう気流成分を生じさせることができ、これにより、気流速度が一様なエアカーテンを塗装域側壁に沿って流下させるのに比べ、塗装域内方側からの塗料飛散による塗装域側壁への塗料付着を一層効果的に防止することができる。
【００４０】
本発明の第１３特徴構成は、第１特徴構成の実施に好適な実施形態を特定するものであり、その特徴は、
前記噴霧手段を、昇降操作が自在な状態で前記塗装域に設置してある点にある。
【００４１】
この構成であれば、塗装時には噴霧手段を上昇位置に保持して被塗物に対する噴霧手段からの塗料の下向き噴霧を適切に行えるようにしながらも、メンテナンス時には噴霧手段を下降させて噴霧手段に対するメンテナンスを容易に行うことができる。
【図面の簡単な説明】
【００４２】
【図１】塗装ブースの正面図
【図２】図１におけるII−II線矢視図
【図３】図１におけるIII−III線矢視図
【図４】保持具の拡大図
【図５】アーム先端部と保持具との連結構造を示す拡大断面図
【図６】別実施形態を示す保持具の拡大図
【図７】別実施形態を示す塗装ブースの正面図
【図８】図７におけるVIII−VIII線矢視図
【図９】図７におけるIX−IX線矢視図
【図１０】他の別実施形態を示す塗装ブースの正面図
【図１１】図１０におけるXI−XI線矢視図
【図１２】図１０におけるXII−XII線矢視図
【図１３】他の別実施形態を示す塗装ブースの正面図
【図１４】他の別実施形態を示す噴霧手段支持構造の正面図
【図１５】他の別実施形態を示すエアカーテンの模式図
【発明を実施するための形態】
【００４３】
図１〜図３は、被塗物Ｗ（本例では自動車のバンパ）を塗装する塗装ブース１を示し、この塗装ブース１では、例えば４つの塗装域２（＝２ａ〜２ｄ）を一列に並べて配置し、これら塗装域２において被塗物Ｗを順次に塗装する。
【００４４】
例えば、第１塗装域２ａでは被塗物Ｗにプライマ塗装を施し、第２塗装域２ｂでは、プライマ塗装後の被塗物ＷにNo.１ベース塗装を施し、さらに第３塗装域２ｃでは、No.１ベース塗装後の被塗物ＷにNo.２ベース塗装を施す。
【００４５】
そして、第４塗装域２ｄでは、No.２ベース塗装後の被塗物Ｗにクリア塗装を施し、これら塗装が終了した被塗物Ｗは乾燥炉３に送って焼付乾燥処理する。
【００４６】
各塗装域２の上部には、被塗物Ｗに所定の塗料を噴霧する噴霧手段４をほぼ鉛直な下向き姿勢で配置してある。
【００４７】
各塗装域２の横一側には、各塗装域２に対して各別に隣接させたロボット設置域５を塗装域並び方向に並べて配置し、これらロボット設置域５には夫々、対応する塗装域２において塗装作業させる塗装ロボット６を設置してある。
【００４８】
互いに隣り合う２つの塗装域２は夫々、被塗物Ｗの進行方向において上手側に位置する先行塗装域２′と被塗物Ｗの進行方向において下手側に位置する後行塗装域２″との関係にある。
【００４９】
具体的には、第１塗装域２ａが先行塗装域２′であるのに対し第２塗装域２ｂは後行塗装域２″であり、第２塗装域２ｂが先行塗装域２′であるのに対し第３塗装域２ｃは後行塗装域２″であり、第３塗装域２ｃが先行塗装域２′であるのに対し第４塗装域２ｄは後行塗装域２″である。
【００５０】
この先行・後行の関係は、噴霧手段４、ロボット設置域５、塗装ロボット６の夫々についても同様である。
【００５１】
各塗装域２において、被塗物Ｗは各塗装ロボット６におけるアーム７の先端部７ａに枝状の保持具８を介して連結することで保持する。
【００５２】
この保持具８には、図４に示すように、その保持具８を被塗物Ｗに連結する保持具・被塗物連結手段として、被塗物Ｗに吸着させる複数の吸盤９を設けてある。
【００５３】
これら吸盤９は、被塗物Ｗにおける複数の連結対象箇所（本例ではバンパ前部における両端部位夫々の裏面箇所、及び、バンパ両側部夫々における裏面箇所の計４か所）に対応させた配置で保持具８に設けてある。
【００５４】
保持具８はパイプ材で形成してあり、このパイプ材の内部孔（パイプ穴）は、吸盤９の内部空気を吸引手段（図示省略）により吸引する吸引路１０にしてあり、この吸引路１０を通じて吸盤９の内部空気を吸引手段により吸引することで、吸盤９を被塗物Ｗに吸着させ、これにより、保持具８を被塗物Ｗに連結する。
【００５５】
吸引路１０は、吸引手段を接続する吸引口１０ａに連なる主吸引路１０ｂと、その主吸引路１０ｂから分岐して各吸盤９の内部に開口する分岐吸引路１０ｃとからなる。
【００５６】
主吸引路１０ｂには、各吸盤９の内部から吸引口１０ａに向かう空気流（即ち、吸引口１０ａに接続した吸引手段による空気吸引）を許容し、逆向きの空気流（即ち、吸引口１０ａから各吸盤９の内部に向かう空気流）を遮断するボール式等の逆止弁１１を設けてある。
【００５７】
つまり、吸引手段による空気吸引により各吸盤９を被塗物Ｗに吸着させた後は、吸引手段を吸引口１０ａから離脱させた状態においても、この逆止弁１１により空気の逆流（換言すれば、各吸盤９の大気開放）を阻止することで、各吸盤９の被塗物Ｗに対する吸着状態を保って、保持具８と被塗物Ｗとの連結状態を保つ。
【００５８】
また、保持具８には各吸盤９に対するカバー１２を設けてあり、このカバー１２は、吸盤９が非吸着状態で伸長した状態にあるときには、吸盤９の先端吸着部がカバー１２の囲い領域から突出し、吸盤９が吸着状態で収縮した状態にあるときには、吸盤９の先端吸着部がカバー１２の囲い領域内方側に引退する構成にしてある。
【００５９】
つまり、このカバー１２を設けることで、被塗物Ｗに対する吸盤９の吸着を許しながらも吸盤９に対する余剰噴霧塗料の付着を効果的に防止する。
【００６０】
一方、各塗装ロボット６のアーム先端部７ａを保持具８に連結するアーム・保持具連結手段としては、図５に示すように、各塗装ロボット６のアーム先端部７ａに連結用孔１３を設け、そして、この連結用孔１３に対して差し込み嵌合させる連結用凸部１４を保持具８に形成してある。
【００６１】
各アーム先端部７ａの連結用孔１３には、円筒状の内周面を有する直孔部１３ａと、孔入口側ほど拡径する円錐状のテーパ状内周面を有するテーパ状入口部１３ｂとを同芯配置で形成してある。
【００６２】
これに対し、保持具８の連結用凸部１４には、連結用孔１３の直孔部１３ａに嵌合する柱状先端部１４ａと、連結用孔１３のテーパ状入口部１３ｂに嵌合するテーパ状段部１４ｂとを同芯配置で形成してある。
【００６３】
つまり、各アーム先端部７ａの連結用孔１３に対して保持具８の連結用凸部１４を差し込み嵌合させる際には、連結用凸部１４の柱状先端部１４ａを連結用孔１３のテーパ状入口部１３ｂにおけるテーパ状内周面に摺接させることで連結用凸部１４を円滑に連結用孔１３の中心に案内する。
【００６４】
そして、この差し込み嵌合を完了した状態においては、連結用孔１３の直孔部１３ａにおける円筒状内周面に対して連結用凸部１４の柱状先端部１４ａにおける円柱状外周面を面接触させるとともに、連結用孔１３のテーパ状入口部１３ｂにおけるテーパ状内周面に対して連結用凸部１４のテーパ状段部１４ｂにおけるテーパ状外周面を面接触させ、これにより、各塗装ロボット６のアーム先端部７ａを保持具８に対して高い連結精度で確実に連結する。
【００６５】
なお、保持具８における吸引路１０の吸引口１０ａは、アーム先端部７ａと保持具８との連結整合面（具体的には連結用凸部１４の先端面部）に開口させてある。
【００６６】
各アーム先端部７ａの連結用孔１３には、その連結用孔１３に差し込み嵌合させた保持具８の連結用凸部１４に対して吸着作用させる永久磁石１５を設けるとともに、その連結用孔１３とそれに差し込み嵌合させた連結用凸部１４との間に対して空気吸引力を及ぼすアーム側吸引路１６を開口させてある。
【００６７】
つまり、これら永久磁石１５による磁気力、及び、アーム側吸引路１６を通じて付与される空気吸引力により、連結用孔１３と連結用凸部１４との差し込み嵌合状態を保持し、これにより、各塗装ロボット６のアーム先端部７ａと保持具８との連結状態を保持する。
【００６８】
各アーム先端部７ａの連結用孔１３には、保持具連結用のアーム側吸引路１６とは別に、それらアーム先端部７ａと保持具８との連結接合面である連結用孔１３の内面に開口して、アーム先端部７ａと保持具８との連結（即ち、連結用孔１３に対する連結用凸部１４の差し込み嵌合）により閉塞状態となる検出用空気路１７を形成してある。
【００６９】
また、各塗装ロボット６には、アーム先端部７ａと保持具８との連結で閉塞状態となった検出用空気路１７に対し圧縮空気の供給により所定の正圧を印加する圧力印加手段（図示省略）、及び、この検出用空気路１７における空気圧力を検出する圧力検出手段１８を装備してある。
【００７０】
つまり、被塗物Ｗや保持具８が他物と衝突するなどして、各塗装ロボット６の各アーム先端部７ａと保持具８との連結状態に異常が生じたり、保持具８に異常外力が作用したときには、それに伴う検出用空気路１７の開放で検出用空気路１７の印加正圧が低下するようにし、この印加正圧の低下を圧力検出手段１８により検知することで、上記の連結異常や異常外力を検出する。
【００７１】
そして、この圧力検出手段１８により異常が検出されたときには、制御手段１９が各塗装ロボット６の動作を緊急停止したり、警報を発するなどの所定の保安処理を実行する。
【００７２】
なお、連結用孔１３の内面において検出用空気路１７の開口部には、その開口部を囲うリング状のシール材（図示省略）を取り付けてあり、このシール材により、アーム側吸引路１６を通じて空気吸引力が付与される領域と、検出用空気路１７を通じて正圧が印加される領域とを仕切ってある。
【００７３】
上記制御手段１９は、各塗装ロボット６を予め設定された動作プログラムに従って自動動作させるものであり、各塗装域２では、上記の如く各塗装ロボット６のアーム先端部７ａに保持具８を介して被塗物Ｗを連結した状態で、それら塗装ロボット６の自動動作により被塗物Ｗを噴霧手段４に対し変位させながら、それら噴霧手段４からの下向き塗料噴霧により被塗物Ｗを塗装する。
【００７４】
また、この塗装において、制御手段１９は、被塗物Ｗにおける各時点の塗装対象面を噴霧手段４からの塗料噴霧方向に対してほぼ垂直な姿勢を保つ状態に被塗物Ｗを姿勢変化させながら、被塗物Ｗを噴霧手段４に対して変位させる構成にしてある。
【００７５】
隣り合うロボット設置域５の境界部で各塗装ロボット６の間には、隣り合う塗装ロボット６どうしが被塗物Ｗの受け渡しを行う受渡部２０を設けてあり、先行する塗装域２′での塗装が終了した被塗物Ｗは、この受渡部２０を経て後行塗装域２″に送られる。
【００７６】
具体的には、制御手段１９は、先行塗装域２′での先行塗装の終了後、被塗物Ｗを保持具８とともに先行塗装ロボット６′の動作により先行塗装ロボット６′と後行塗装ロボット６″との間の受渡部２０に保持させて、被塗物Ｗと保持具８との連結は保ったままの状態で、先行塗装ロボット６′のアーム先端部７ａと保持具８との連結を解除する。
【００７７】
そして、先行塗装ロボット６′のアーム先端部７ａを受渡部２０から退避移動させた後、後行塗装ロボット６″の動作により後行塗装ロボット６″のアーム先端部７ａを、被塗物Ｗとの連結が保たれたままの状態で受渡部２０に保持されている保持具８に連結させ、これに続き後行塗装域２″での後行塗装に移行する。
【００７８】
なお、各塗装ロボット６のアーム先端部７ａには、保持具連結用のアーム側吸引路１６を通じた空気吸引を停止した状態で、永久磁石１５の磁気力に抗し連結用孔１３から連結用凸部１４を離脱させてアーム先端部７ａと保持具８との連結を解除する連結解除手段（図示省略）を装備してある。
【００７９】
即ち、制御手段１９は、アーム側吸引路１６を通じた空気吸引を停止するとともに、この連結解除手段を自動操作することで、受渡部２０において先行塗装ロボット６′のアーム先端部７ａと保持具８との連結を解除する。
【００８０】
第１塗装域２ａに搬入する被塗物Ｗは、作業者や他のロボットにより、予め保持具８を連結した状態で第１塗装域２ａ近傍の搬入部２１に保持させ、これに対し、第１塗装域２ａ用の塗装ロボット６の動作により、その塗装ロボット６のアーム先端部７ａを、被塗物Ｗとの連結が保たれた状態で搬入部２１に保持されている保持具８に連結し、これに続き、第１塗装域２ａでの塗装に移行する。
【００８１】
また、最終の第４塗装域２ｄでの塗装を終了した被塗物Ｗは保持具８とともに第４塗装域２ｄ用の塗装ロボット６の動作により、第４塗装域２ｄの近傍で搬送台車２２に載置して、塗装ロボット６のアーム先端部７ａと保持具８との連結を解除し、その後、保持具８及び搬送台車２２とともに乾燥炉３に送る。
【００８２】
そして、この際、乾燥炉３での熱環境により被塗物Ｗが軟化するのに対し、保持具８における各吸盤９の内部負圧を大気開放することで被塗物Ｗにおける吸盤吸着部位の変形を防止する。（なお、場合によっては、この大気開放により乾燥炉３での吸盤９の異常収縮を防止することもできる）。
【００８３】
各塗装域２とそれに対応して隣接する各ロボット設置域５との間には仕切り壁２４を設け、この仕切り壁２４には、ロボット設置域５に設置した塗装ロボット６のアーム７を対応塗装域２へ延出させる作業用開口２４ａを形成してある。
【００８４】
また、各ロボット設置域５の天井懐部には、空調機（図示省略）からロボット設置域用の給気路２５ａを通じて供給される換気用空気ｓａを受け入れるロボット設置域用の給気チャンバ２６を設けてある。
【００８５】
そして、この給気チャンバ２６の下壁を兼ねる各ロボット設置域５の天井部には、ロボット設置域用の給気チャンバ２６に受け入れた換気用空気ｓａを各ロボット設置域５に吹き出す給気口２７を設けてある。
【００８６】
一方、各ロボット設置域５における天井懐部の塗装域側部分には、同空調機から塗装域用の給気路２５ｂを通じて供給される換気用空気ｓｂを受け入れる塗装域用の給気チャンバ２８を設けてある。
なお、塗装域用の給気チャンバ２８とロボット設置域用の給気チャンバ２６とのいずれか一方に新鮮な換気用空気を供給し、他方には塗装域２からの排出空気を浄化したリサイクル空気を換気用空気として供給するようにしてもよい。
また、塗装域２とロボット設置域５とに同一の換気用空気（ｓａ＝ｓｂ）を供給する場合には、塗装域用の給気路２５ｂとロボット設置域用の給気路２５ａとを１本の兼用給気路にするとともに、塗装域用の給気チャンバ２８とロボット設置域用の給気チャンバ２６とを一つの兼用給気チャンバにするようにしてもよい。
【００８７】
そして、塗装域用の給気チャンバ２８から各塗装域２の一側壁２ｗ（ロボット設置域５とは反対側に位置する塗装域側壁）まで伸びる２本のソックフィルタ２９（円筒状フィルタ）を設け、これらソックフィルタ２９は、平面視において両ソックフィルタ２９どうしの間の中央部に噴霧手段４が位置する状態に配置してある。
【００８８】
つまり、各塗装域２については、塗装域用の給気チャンバ２８に受け入れた換気用空気ｓｂを、これら２本のソックフィルタ２９から各塗装域２の上部に供給する。
【００８９】
各塗装域２の上部において２本のソックフィルタ２９の上側には、平面視において各塗装域２のほぼ全域にわたるダクト幅で、塗装域用の給気チャンバ２８から各塗装域２の一側壁２ｗまで伸びる渡りダクト３０を設けてある。
【００９０】
この渡りダクト３０の先端部における下面には、各塗装域２の一側壁２ｗに沿って下向きに流れるエアカーテンｆａを形成するエアカーテン用の給気口３１を形成してある。
【００９１】
つまり、塗装域用の給気チャンバ２８に受け入れた換気用空気ｓｂの一部は渡りダクト３０を通じエアカーテン用の給気口３１から下向きに吐出させることで、各塗装域２の一側壁２ｗに沿って下向きに流れるエアカーテンｆａを形成する。
【００９２】
エアカーテン用給気口３１と噴霧手段４とは、平面視において塗装域２とロボット設置域５との並び方向に同芯状に並べて配置し、また、エアカーテン用給気口３１の幅寸法ｄ（換言すれば、エアカーテンｆａの幅寸法）は、塗装域一側壁２ｗの幅寸法より小さくて、２本のソックフィルタ２９どうしの離間寸法よりも小さい寸法にしてある。
【００９３】
各塗装域２の下方には、塗装域２への空気供給及び対応するロボット設置域５への空気供給に伴い塗装域２から下向きに排出される空気ｅａを受け入れる排気域３２を形成してあり、この排気域３２に受け入れた空気ｅａは排気路３３を通じて排気ファン（図示省略）により排出される。
【００９４】
なお、塗装域２からの排出空気ｅａに含まれる余剰噴霧塗料を乾式捕集する場合には、排気域３２において排出空気ｅａに粉状の捕集補助材を混合し、排気路３３の下流側において、余剰噴霧塗料を捕集補助材とともにフィルタで捕集するようにしてもよく、また、塗装域２からの排出空気ｅａに含まれる余剰噴霧塗料を湿式捕集する場合には、余剰噴霧塗料に対する湿式の捕集装置を排気域３２に配置するようにしてもよい。
【００９５】
したがって、各ロボット設置域５は隣接する塗装域２よりも高圧に保たれて、これらロボット設置域５からは対応塗装域２との間の仕切り壁２４に形成された作業用開口２４ａを通じて対応塗装域２に流入する横向きないし斜め下向きの空気流ｒａが形成され、この空気流ｒａにより各塗装域２においてロボット設置域５の側への余剰噴霧塗料の飛散を抑止する。
【００９６】
つまり、噴霧手段４による下向き塗料噴霧により塗料飛散が抑制されることとも相俟って、上記空気流ｒａによりロボット設置域５の側への余剰噴霧塗料の飛散を抑止することで、塗装ロボット６の本体部に対する余剰噴霧塗料の付着はもとより塗装ロボット６のアーム７に対する余剰噴霧塗料の付着も効果的に防止する。
【００９７】
また、各塗装域２の一側壁２ｗに沿って下向きに流れるエアカーテンｆａを形成することで、塗装域２の一側壁２ｗに向かう余剰噴霧塗料はエアカーテンｆａにより捕捉し、これにより、各塗装域２の一側壁２ｗに対する余剰噴霧塗料の付着も確実に防止する。
【００９８】
即ち、上記の如く噴霧手段４による下向き塗料噴霧により塗料飛散が抑制されることで、塗装域２の一側壁２ｗに向かう余剰噴霧塗料の拡がり幅も小さく抑制され、このことから、エアカーテンｆａが幅寸法ｄの小さいものであっても、各塗装域２の一側壁２ｗに対する塗料付着は効果的に防止することができる。
【００９９】
なお、隣り合う塗装域２どうしは隔壁３４又は垂れ壁又はエアカーテンにより仕切ってあり、これにより、隣り合う塗装域２どうしの間（即ち、先行塗装域２′と後行塗装域２″との間）での余剰噴霧塗料の相互移動を防止する。
【０１００】
また、隣り合うロボット設置域５どうしはそれらの並び方向において互いに開放させ、あるいは、仕切るにしてもエアカーテンにより仕切るに止め、これにより隣り合う塗装ロボット６どうしの間（即ち、先行塗装ロボット６′と後行塗装ロボット６″との間）での受渡部２０を介した被塗物Ｗの受渡しを容易にする。
【０１０１】
〔別実施形態〕
次に本発明の別の実施形態を列記する。
【０１０２】
保持具８と連結状態にある被塗物Ｗを保持する受渡部２０は、被塗物Ｗ及び保持具８を載せ置く形態で保持するものに限らず、被塗物Ｗ及び保持具８を吊り下げ形態で保持するものなどであってもよい。
【０１０３】
また、塗装ロボット６どうしによる被塗物Ｗの受け渡しには、先行塗装ロボット６′が先行塗装後の被塗物Ｗを中継部２０に保持させ、その後、後行塗装ロボット６″が受渡部２０に保持された被塗物Ｗを後行塗装に先立ち受け取る形態に限らず、先行塗装ロボット６′が後行塗装ロボット６″に対して先行塗装後の被塗物Ｗを直接に手渡す形態を採用してもよい。
【０１０４】
塗装域２の上部に配置する噴霧手段４は、塗料を鉛直下向きに噴霧するものに限らず、塗料を斜め下向きに噴霧するものであってもよく、また、塗料の噴霧向きを下向き範囲内において変更し得るものにしてもよい。
【０１０５】
噴霧手段４として、被塗物Ｗの種類や噴霧塗料の種類などに応じて選択的に使用する複数の噴霧手段を塗装域２の上部に配備してもよい。
【０１０６】
塗装ロボット６のアーム先端部７ａと被塗物Ｗとの連結に用いる保持具８の具体的な形状・構造は種々の構成変更が可能である。
【０１０７】
また、塗装ロボット６のアーム先端部７ａを保持具８に連結するアーム・保持具連結手段の具体的な構造、及び、保持具８を被塗物Ｗに連結する保持具・被塗物連結手段の具体的な構造も、前述の実施形態で示したものに限らず、種々の構成変更が可能である。
【０１０８】
前述の実施形態では、吸盤９の内部に向かう空気流を逆止弁１１により阻止することで吸盤９の被塗物Ｗに対する吸着状態を保持する例を示したが、この逆止弁１１に代えて図６に示すように、開閉弁２３を保持具８の主吸引路１０ｂなどに介装するようにしてもよい。
【０１０９】
即ち、吸盤９を被塗物Ｗに対する吸着状態に保持するときには、この開閉弁２３を制御手段１９からの無線信号による指令などにより閉じ操作し、一方、吸盤９の内部空気を吸引手段により吸引して吸盤９を被塗物Ｗに対し吸着させるときや、吸盤９の内部を大気開放して吸盤９の被塗物Ｗに対する吸着状態を解除するときには、この開閉弁２３を制御手段１９からの無線信号による指令などにより開き操作するようにしてもよい。
【０１１０】
また、前述の実施形態では、吸盤９の内部空気を吸引して吸盤９を被塗物Ｗに対し吸着させるときだけ吸引手段（図示省略）を吸引路１０の吸引口１０ａに接続する構成にしたが、これに代え、アーム先端部７ａと保持具８との連結状態を保持するアーム側吸引路１６を通じて付与される空気吸引力を利用して吸盤９の内部空気を吸引することで、吸盤９を被塗物Ｗに吸着させる構成にしてもよい。
【０１１１】
各塗装域２に対する給気構造については図７〜図９に示す構成にしてもよい。
【０１１２】
つまり、エアカーテン用の給気口３１を下面に形成したエアカーテン用の吹出ボックス３５を、各塗装域２における一側壁２ｗの上部に配設する。
【０１１３】
そして、塗装域用の給気チャンバ２８から延出する２本のソックフィルタ２９をエアカーテン用吹出ボックス３５の側面まで至らせて、それらソックフィルタ２９の先端部を絞り開口や風量調整ダンパなどの絞り機構３５ａを通じてエアカーテン用吹出ボックス３５の内部に開口させる。
【０１１４】
即ち、この給気構造では、塗装域用の給気チャンバ２８に受け入れた換気用空気ｓｂの一部を両ソックフィルタ２９から各塗装域２の上部に供給するのに併行して、塗装域用の給気チャンバ２８に受け入れた換気用空気ｓｂの他部を両ソックフィルタ２９を通じてエアカーテン用吹出ボックス３５に供給し、これにより、エアカーテン用の給気口３１から空気吐出させて塗装域２の一側壁２ｗに沿うエアカーテンｆａを形成する。
【０１１５】
また、各塗装域２に対する給気構造については図１０〜図１２に示す構成にしてもよい。
【０１１６】
つまり、各塗装域２における一側壁２ｗの両端隅部に塗装域２の全高に及ぶ塗料タンク設置室３６を形成し、これら塗料タンク設置室３６の平面視横断面形状は塗装域２における一側壁２ｗの両端隅部に納まる略三角形状にする。
【０１１７】
そして、エアカーテン用給気口３１の平面形状（即ち、エアカーテンｆａの平面視横断面形状）は、塗料タンク設置室３６の三角横断面形状における底辺部と塗装域２の一側壁２ｗとにより囲まれる台形形状する。
【０１１８】
即ち、この給気構造であれば、エアカーテンｆａにより、塗装域２の一側壁２ｗに対する余剰噴霧塗料の付着を防止するとともに、両塗料タンク設置室３６の室壁に対する余剰噴霧塗料の付着も併せて防止することができる。
【０１１９】
さらに各塗装域２に対する給気構造については図１３に示す構成にしてもよい。
【０１２０】
つまり、各塗装域２の上部に設ける渡りダクト３０の下壁３０ａをパンチング板やフィルタなどにより形成する多孔構造にし、これにより、ソックフィルタ２９を省略して、渡りダクト３０の下壁多孔構造から塗装域２の上部に換気用空気ｓｂを吹出供給する。
【０１２１】
ロボット設置域５に設置する塗装ロボット６は、床置き型のものに限らず、壁掛け型や天井吊り型など、どのような設置形式のものであってもよい。
【０１２２】
また、噴霧手段４は昇降操作が自在な状態で塗装域２に配置し、これにより、噴霧手段４に対するメンテナンスを容易に行えるようにしてもよい。
【０１２３】
そして、この場合、例えば図１４に示すように、上下揺動が自在な平行リンク機構３７の揺動端に下向き姿勢の噴霧手段４を取り付け、そして、この平行リンク機構３７を上昇揺動側に付勢するウエイトなどの付勢手段３８を設けるとともに、平行リンク機構３７の揺動範囲を規定する緩衝用エアシリンダなどの限界規定手段３９を設けるようにしてもよい。
【０１２４】
つまり、この構造であれば、通常時は平行リンク機構３７を限界規定手段３９により規定される上昇限界位置まで上昇揺動させた状態にすることで、噴霧手段４を下向き姿勢で塗装域２の上部位置に保持することができ、この状態で、噴霧手段４を被塗物Ｗに対して塗料噴霧させることができる。
【０１２５】
一方、噴霧手段４に対するメンテナンス作業時などには、付勢手段３８の付勢力に抗し平行リンク機構３７を鉛直下向き姿勢となる下降限界位置まで下降揺動させて、付勢手段３８の付勢方向を反転させることで、噴霧手段４を下向き姿勢で塗装域２の下部位置に保持することができ、この状態で、噴霧手段４に対するメンテナンス作業などを行うことができる。
【０１２６】
塗装域２の一側壁２ｗ（ロボット設置域５とは反対側に位置する塗装室側壁）に沿う状態で下向きに流れるエアカーテンｆａを形成するのに、図１５に示すように、エアカーテンｆａの厚み方向中間部に位置して、上端が下端に対して相対的に塗装域側壁２ｗの側に寄った傾斜姿勢の気流案内面４０を設けてもよい。
【０１２７】
即ち、この構成を採用すれば、塗装域側壁２ｗに沿って下向きに流れるエアカーテン気流ｆａを、上記気流案内面４０による案内により、塗装域側壁２ｗに近い側の低速の気流部分ｆａ１と、塗装室側壁２ｗに対して離れた側の高速の気流部分ｆａ２とに分けることができる。
【０１２８】
そして、塗装室側壁２ｗに対して離れた側の高速気流部分ｆａ２による誘因により、塗装域側壁２ｗに近い側の低速気流部分ｆａ１から塗装室側壁２ｗに対して離れた側の高速気流部分ｆａ２に向かう気流成分を生じさせることができ、これにより、塗装域内方側からの塗料飛散による塗装域側壁２ｗへの塗料付着を一層効果的に防止することができる。
【産業上の利用可能性】
【０１２９】
本発明の塗装方法及び塗装設備は、自動車バンパの塗装に限らず、種々の物品の塗装に利用することができる。
【符号の説明】
【０１３０】
４              噴霧手段
２              塗装域
６              塗装ロボット
５              ロボット設置域
７ａ            アーム先端部
Ｗ              被塗物
ｓａ，ｓｂ      換気用空気
２７            ロボット設置域用給気口
ｒａ            空気流
２ｗ            塗装域側壁
ｆａ            エアカーテン
３１            エアカーテン用給気口
３２            排気域
２９            ソックフィルタ
３５            エアカーテン用吹出ボックス
３５ａ          絞り機構
ｄ              エアカーテン用給気口の幅寸法
３０            渡りダクト
３０ａ          多孔構造
３６            塗料タンク設置室
１９            制御手段、
３４            隔壁又は垂れ壁又はエアカーテン
４０            気流案内板
【図１】
2015223533.tif 000003
【図２】
2015223533.tif 000004
【図３】
2015223533.tif 000005
【図４】
2015223533.tif 000006
【図５】
2015223533.tif 000007
【図６】
2015223533.tif 000008
【図７】
2015223533.tif 000009
【図８】
2015223533.tif 000010
【図９】
2015223533.tif 000011
【図１０】
2015223533.tif 000012
【図１１】
2015223533.tif 000013
【図１２】
2015223533.tif 000014
【図１３】
2015223533.tif 000015
【図１４】
2015223533.tif 000016
【図１５】
2015223533.tif 000017